(57)【特許請求の範囲】
【請求項１】
正極、負極、及びセパレータが巻回軸方向から見た場合に長円形状となるように巻回されて形成された電極体を備える蓄電素子であって、
前記電極体が巻回されている方向と同じ方向に、前記電極体の最外周面上に沿って前記電極体に１周以上巻回された状態で、前記最外周面の平坦な領域において一部が他の部分に重なって接合されている絶縁テープを備え、
前記正極、前記負極、及び前記セパレータのそれぞれの巻き終わりの端部は、前記電極体の平坦な面に配置され、
前記セパレータの前記巻き終わりの端部は、前記正極及び前記負極の前記巻き終わりの端部よりも前記電極体の巻回方向側の領域に位置し、
前記絶縁テープの内側の端部は、前記セパレータの巻き終わりの端部に配置され、
前記絶縁テープの外側の端部は、前記絶縁テープの内側の端部に固定されている
蓄電素子。
【請求項２】
前記セパレータは、基材層と、粒子を含む粒子含有層と、を有し、
前記粒子含有層は、前記電極体の最外周面に配置されている
請求項１に記載の蓄電素子。
【請求項３】
前記絶縁テープは、前記電極体の巻回軸方向における前記電極体の両側に配置されている
請求項１又は２に記載の蓄電素子。
【請求項４】
前記絶縁テープは、前記電極体の巻回軸方向における前記セパレータの端縁からの距離が、前記絶縁テープの幅よりも小さくなる位置に配置されている
請求項１から３のいずれか１項に記載の蓄電素子。
【発明の詳細な説明】
【技術分野】
【０００１】
本発明は、正極、負極及びセパレータが巻回されて形成された巻回型電極体を有する蓄電素子に関する。
【背景技術】
【０００２】
従来、リチウムイオン電池などの電池を含む蓄電素子において、正極と負極とセパレータとが積層されて、かつ、巻回された巻回型電極体を有するものがある（例えば、特許文献１参照）。このような巻回型電極体を有する蓄電素子では、巻回型電極体の最外周の巻き終わりの位置で、巻回状態が緩まないように最外周を固定する必要がある。電極体の最外周には、一般に、セパレータが配置されるが、このとき、巻回型電極体の最外周の巻き終わりの位置でのセパレータの固定方法としては、接着テープ等の絶縁テープを用いて固定する方法がある。
【先行技術文献】
【特許文献】
【０００３】
【特許文献１】特開平１１−２５０８７３号公報
【発明の概要】
【発明が解決しようとする課題】
【０００４】
しかしながら、上記従来の絶縁テープを用いて固定する構成では、電極体の巻回状態が緩まないようにしながら、電極体の最外周をより確実に固定することが難しい。このため、当該最外周の部分の固定が緩みやすくなり、巻回型電極体の正極と負極との間に空間（距離）が空きやすくなるため、蓄電素子の性能低下に繋がるおそれがある。
【０００５】
そこで、本発明は、このような状況に鑑みてなされたものであり、性能が低下することを抑制できる蓄電素子を提供することを目的とする。
【課題を解決するための手段】
【０００６】
上記目的を達成するために、本発明の一態様に係る蓄電素子は、正極、負極、及びセパレータが巻回されて形成された電極体を備える蓄電素子であって、前記電極体が巻回されている方向と同じ方向に、前記電極体の最外周面上に沿って前記電極体に１周以上巻回された状態で、一部が他の部分に重なって接合されている絶縁テープを備える。
【０００７】
これによれば、絶縁テープは、電極体の最外周面上に沿って電極体を１周以上巻回された状態で、その一部が絶縁テープの他の部分に重なって接合されている。このため、絶縁テープは、電極体の最外周の部分をより確実に固定することができる。
【０００８】
さらに、絶縁テープは、電極体が巻回されている方向と同じ方向に巻回されているため、絶縁テープを、電極体に巻回するときに、電極体の最外周に引張力をかけながら、電極体に１周以上巻回することができる。つまり、巻回型の電極体が緩むことを抑制しながら絶縁テープを電極体に巻回することで、電極体が巻回された状態を維持することができる。このため、蓄電素子の性能低下を抑制できる。
【０００９】
また、例えば、前記セパレータは、基材層と、粒子を含む粒子含有層と、を有し、前記粒子含有層は、前記電極体の最外周面に配置されていてもよい。
【００１０】
ここで、上記従来の技術では、次のような課題も生じる。異常時に熱が発生したときであっても、正極と負極との間の絶縁性を維持する目的で、例えばセパレータの片面に無機粒子を含む耐熱層を塗工したセパレータ（以下、「耐熱塗工セパレータ」という。）が考案されている。このような耐熱塗工セパレータを巻回型電極体に適用する場合に、耐熱塗工セパレータの耐熱層には粒子が含まれているために接着テープが接着されにくく、最外周の部分を接着テープ等の絶縁テープで固定することが難しい。このため、当該最外周の部分の固定が緩みやすくなり、巻回型電極体の正極と負極との間に空間（距離）が空きやすくなるため、蓄電素子の性能低下に繋がるおそれがある。
【００１１】
この実施態様によれば、絶縁テープは、電極体の最外周面上に沿って電極体を１周以上巻回された状態で、その一部が接着されやすい絶縁テープの他の部分に重なって接合されている。このため、絶縁テープは、電極体の最外周の部分を固定することができるため、電極体が巻回された状態を維持することができる。これにより、巻回型の電極体が緩むことを抑制することができ、粒子含有層が設けられたセパレータを採用した蓄電素子において、その性能低下を抑制できる。
【００１２】
また、例えば、前記絶縁テープは、前記電極体の巻回軸方向における前記電極体の両側に配置されていてもよい。
【００１３】
このように、絶縁テープは、電極体の最外周面の全面を覆わないため、電極体に対する電解液の浸透性を向上させることができる。
【００１４】
また、例えば、前記絶縁テープは、前記電極体の巻回軸方向における前記セパレータの端縁からの距離が、前記絶縁テープの幅よりも小さくなる位置に配置されていてもよい。
【００１５】
このため、電極体の最外周の端部のうちの、電極体の巻回軸方向の端部がめくれることを抑制できる。これにより、より強固に電極体が巻回された状態を維持することができるため、蓄電素子の性能低下をさらに抑制できる。
【００１６】
また、例えば、前記絶縁テープの内側の端部は、前記電極体の巻回方向における最外周側の端部上に配置されていてもよい。
【００１７】
このため、絶縁テープを電極体に巻回するときに、セパレータの最外周の端部（電極体の最外周の端部）を押さえながら、絶縁テープを電極体に１周以上巻回することができる。このように、電極体が緩まないように最外周の端部を押さえた上で絶縁テープを巻回することで、電極体が緩まないように電極体が巻回された状態を維持することができるため、蓄電素子の性能低下をさらに抑制できる。
【００１８】
また、例えば、前記絶縁テープの内側の端部は、前記最外周面のうち、前記電極体の巻回方向における最外周側の端部よりも前記巻回方向側の領域上に配置されていてもよい。
【００１９】
これによれば、絶縁テープが電極体を１周以上巻回されて、絶縁テープ自身に重なっている部分を、電極体の最外周側の端部よりも巻回方向側の領域に配置することができる。つまり、絶縁テープ自身が重なって他の部分よりも厚くなっている部分を、電極体の最外周が重なることで生じている段差のうちの高さが低い部位に配置することができるため、電極体及び絶縁テープの組立体の構成をコンパクトにすることができる。
【発明の効果】
【００２０】
本発明に係る蓄電素子によれば、蓄電素子の性能が低下することを抑制できる。
【図面の簡単な説明】
【００２１】
【図１】本発明の実施の形態に係る蓄電素子の外観を模式的に示す斜視図である。
【図２】本発明の実施の形態に係る蓄電素子の容器の本体を分離して蓄電素子が備える各構成要素を示す斜視図である。
【図３】電極体の構造を説明するための図である。
【図４】電極体及び絶縁テープの外観を示す斜視図である。
【図５】電極体及び絶縁テープの断面図である。
【図６】電極体及び絶縁テープの巻回方向について説明するための図である。
【図７】変形例１に係る電極体及び絶縁テープの外観を示す斜視図である。
【図８】変形例１に係る電極体及び絶縁テープの断面図である。
【発明を実施するための形態】
【００２２】
以下、図面を参照しながら、本発明の実施の形態に係る蓄電素子について説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。また、以下の実施の形態における構成要素のうち、最上位概念を示す独立請求項に記載されていない構成要素については、任意の構成要素として説明される。また、各図において、寸法等は厳密に図示したものではない。
【００２３】
（実施の形態）
図１は、本発明の実施の形態に係る蓄電素子１０の外観を模式的に示す斜視図である。図２は、本発明の実施の形態に係る蓄電素子１０の容器１００の容器本体１１１を分離して蓄電素子１０が備える各構成要素を示す斜視図である。
【００２４】
蓄電素子１０は、電気を充電し、また、電気を放電することのできる二次電池であり、より具体的には、リチウムイオン二次電池などの非水電解質電池である。例えば、蓄電素子１０は、電気自動車（ＥＶ）、プラグインハイブリッド電気自動車（ＰＨＥＶ）、またはハイブリッド電気自動車（ＨＥＶ）などに適用される。なお、蓄電素子１０は、非水電解質二次電池には限定されず、非水電解質二次電池以外の二次電池であってもよいし、キャパシタであってもよい。
【００２５】
これらの図に示すように、蓄電素子１０は、容器１００と、正極端子２００と、負極端子３００と容器１００とを備えている。また、容器１００の内方には、正極集電体１２０と、負極集電体１３０と、電極体１４０とが収容されている。
【００２６】
また、蓄電素子１０の容器１００の内部には電解液（非水電解質）などの液体が封入されているが、当該液体の図示は省略する。なお、容器１００に封入される電解液としては、蓄電素子１０の性能を損なうものでなければその種類に特に制限はなく様々なものを選択することができる。
【００２７】
容器１００は、矩形筒状で底を備える容器本体１１１と、容器本体１１１の開口を閉塞する板状部材である蓋体１１０とで構成されている。また、容器１００は、電極体１４０等を内部に収容後、蓋体１１０と容器本体１１１とが溶接等されることにより、内部を密封することができるものとなっている。なお、蓋体１１０及び容器本体１１１の材質は、特に限定されないが、例えばステンレス鋼、アルミニウム、アルミニウム合金など溶接可能な金属であるのが好ましい。
【００２８】
電極体１４０は、正極と負極とセパレータとを備え、電気を蓄えることができる部材である。具体的には、電極体１４０は、負極と正極との間にセパレータが挟み込まれるように層状に配置されたものを全体が長円形状となるように巻回されて形成されている。なお、同図では、電極体１４０の形状としては長円形状を示したが、円形状または楕円形状でもよい。電極体１４０の詳細な構成については、後述する。
【００２９】
正極端子２００は、電極体１４０の正極に電気的に接続された電極端子であり、負極端子３００は、電極体１４０の負極に電気的に接続された電極端子である。つまり、正極端子２００及び負極端子３００は、電極体１４０に蓄えられている電気を蓄電素子１０の外部空間に導出し、また、電極体１４０に電気を蓄えるために蓄電素子１０の内部空間に電気を導入するための金属製の電極端子である。また、正極端子２００及び負極端子３００は、電極体１４０の上方に配置された蓋体１１０に取り付けられている。
【００３０】
正極集電体１２０は、電極体１４０の正極と容器１００の側壁との間に配置され、正極端子２００と電極体１４０の正極とに電気的に接続される導電性と剛性とを備えた部材である。なお、正極集電体１２０は、電極体１４０の正極と同様の材料からなり、具体的には、アルミニウムまたはアルミニウム合金などで形成されている。
【００３１】
負極集電体１３０は、電極体１４０の負極と容器１００の側壁との間に配置され、負極端子３００と電極体１４０の負極とに電気的に接続される導電性と剛性とを備えた部材である。なお、負極集電体１３０は、電極体１４０の負極と同様の材料からなり、具体的には銅または銅合金などで形成されている。
【００３２】
図３は、電極体１４０の構造を説明するための図である。図４は、電極体１４０及び絶縁テープ１５０の外観を示す斜視図である。図５は、電極体１４０及び絶縁テープ１５０の断面図である。具体的には、図５の（ａ）は、図４の電極体１４０及び絶縁テープ１５０のＡ−Ａ断面を示す図であり、図５の（ｂ）は、図５の（ａ）の領域Ａ１を拡大した拡大図である。
【００３３】
電極体１４０は、図３〜５に示すように、活物質が表面に塗布された正極１４１及び負極１４２と、セパレータ１４３、１４４とが積層され、かつ、巻回されて形成されている。つまり、電極体１４０は、正極１４１と、第一セパレータ１４３と、負極１４２と、第二セパレータ１４４とがこの順に積層された状態で、断面が長円形状になるように巻回されることにより形成される。そして、図４に示すように、巻回されて形成された電極体１４０の最外周（最後の一周）は、Ｘ軸方向（電極体の巻回軸方向）に複数箇所（本実施の形態では２箇所）の位置で絶縁テープ１５０により固定されている。
【００３４】
正極１４１は、アルミニウムまたはアルミニウム合金などからなる長尺帯状の正極集電箔の表面に、正極活物質層が形成されたものである。なお、本発明に係る蓄電素子１０に用いられる正極１４１は、特に従来用いられてきたものと異なるところはなく、通常用いられているものが使用できる。
【００３５】
負極１４２は、銅または銅合金などからなる長尺帯状の負極集電箔の表面に、負極活物質層が形成されたものである。なお、本発明に係る蓄電素子１０に用いられる負極１４２は、特に従来用いられてきたものと異なるところはなく、通常用いられているものが使用できる。
【００３６】
第一セパレータ１４３及び第二セパレータ１４４は、正極１４１と負極１４２との間に配置される長尺帯状のセパレータである。第一セパレータ１４３及び第二セパレータ１４４は、それぞれが基材層１４３ａ、１４４ａと粒子含有層１４３ｂ、１４４ｂとを備えた耐熱塗工セパレータである。
【００３７】
基材層１４３ａ、１４４ａは、熱可塑性樹脂からなる微多孔性のシートである。
【００３８】
粒子含有層１４３ｂ、１４４ｂは、基材層１４３ａ、１４４ａの一方の面に配置される、基材層１４３ａ、１４４ａとは材質が異なる層である。本実施の形態では、粒子含有層１４３ｂ、１４４ｂは、基材層１４３ａ、１４４ａの一方の面上に塗工された層である。ここで、粒子含有層１４３ｂ、１４４ｂは、例えば、アルミナなどの無機粒子とポリフッ化ビニリデン（ＰＶｄＦ）などのバインダの混合物またはポリジビニルベンゼン（ＰＤＶＢ）、ポリアミドなどの耐熱性樹脂とを含む耐熱層（無機塗工層）である。なお、粒子含有層１４３ｂ、１４４ｂは、無機粒子ではなく有機系の粒子を含有していてもよい。また、粒子含有層１４３ｂ、１４４ｂは、基材層１４３ａ、１４４ａの両方の面に配置されてもよい。
【００３９】
つまり、第一セパレータ１４３及び第二セパレータ１４４のそれぞれは、基材層１４３ａ、１４４ａと、基材層１４３ａ、１４４ａ上に配置され粒子を含む粒子含有層１４３ｂ、１４４ｂとを有する。そして、第一セパレータ１４３及び第二セパレータ１４４は、正極１４１に粒子含有層１４３ｂ、１４４ｂが対向するように積層され、かつ、負極１４２に基材層１４３ａ、１４４ａが対向するように積層される。
【００４０】
また、電極体１４０の最内周には、ポリプロピレン、ポリエチレン等から形成されている巻芯１４５が配置される。電極体１４０は、第一セパレータ１４３及び第二セパレータ１４４が巻芯１４５に溶着固定された状態で、正極１４１、第一セパレータ１４３、負極１４２、及び第二セパレータ１４４が巻回されることにより形成される。
【００４１】
また、電極体１４０の最外周面（つまり、最外周の外周面）は、図３及び図４に示すように第二セパレータ１４４の粒子含有層１４４ｂにより構成される。つまり、電極体１４０は、第二セパレータ１４４が電極体１４０の最外周を１周以上巻回され、第二セパレータ１４４の最外周側の端部１４４ｃが第二セパレータ１４４自身の他の部分に直接重なっている構成である。
【００４２】
絶縁テープ１５０は、片側の面が接着性（粘着性）を有する長尺帯状のテープである。絶縁テープ１５０は、電極体１４０の最外周面上に沿って、電極体１４０に１周以上巻回された状態で、絶縁テープ１５０の一部が絶縁テープ１５０の他の部分に重なって接着されることにより、接合されている。また、絶縁テープ１５０は、接着性を有する面が電極体１４０の最外周面に接触するように配置される。つまり、絶縁テープ１５０は、自身が電極体１４０の最外周面に沿って輪状に形成されることにより、電極体１４０が巻回された状態を維持する。
【００４３】
より具体的には、絶縁テープ１５０の内側の端部１５１は、電極体１４０の巻回方向における第二セパレータ１４４の最外周側の端部１４４ｃ上に配置されている。そして、絶縁テープ１５０は、電極体１４０に１周巻回された状態で、外側の端部１５２が内側の端部１５１上に接着されている構成である。
【００４４】
なお、ここで第二セパレータ１４４の最外周側の端部１４４ｃとは、第二セパレータ１４４の最外周の端縁Ｅ１から所定の範囲Ｒ１の領域における部位である。また、所定の範囲Ｒ１は、例えば、絶縁テープ１５０の幅Ｗ１の１〜２倍の長さの範囲である。ここで、絶縁テープ１５０の幅Ｗ１が細すぎると、絶縁テープ自身のねじれや、巻ずれなどが発生するおそれがあるため、幅Ｗ１は、５〜５０ｍｍであることが好ましく、さらに２０〜４０ｍｍであることがより好ましい。また、絶縁テープの幅を上記の数値範囲とすることにより、電解液が浸透しやすくなり、また、皺が発生した状態で絶縁テープが巻回されることを抑制できる。
【００４５】
また、絶縁テープ１５０は、巻回軸方向における電極体１４０の両側に配置されている。具体的には、絶縁テープ１５０は、電極体１４０の巻回軸方向（つまりＸ軸方向）における第二セパレータ１４４の端縁からの距離Ｌ１が、絶縁テープ１５０の幅Ｗ１よりも小さくなる位置に配置されている。つまり、２本の絶縁テープ１５０のうち、Ｘ軸方向マイナス側に配置されている絶縁テープ１５０は、第二セパレータ１４４のＸ軸方向マイナス側の端縁からの距離Ｌ１が、幅Ｗ１よりも小さくなる位置に配置されており、Ｘ軸方向プラス側に配置されている絶縁テープ１５０は、第二セパレータ１４４のＸ軸方向プラス側の端縁からの距離Ｌ１が、幅Ｗ１よりも小さくなる位置に配置されている。
【００４６】
また、絶縁テープ１５０は、電極体１４０の構成要素である正極１４１、負極１４２、及びセパレータ１４３、１４４が巻回されている方向と同じ方向に巻回されている。
【００４７】
図６は、電極体１４０及び絶縁テープ１５０の巻回方向について説明するための図である。具体的には、図６の（ａ）は、電極体１４０を形成するときの巻回方向について説明するための図であり、図６の（ｂ）は、電極体１４０に絶縁テープ１５０を巻回するときの巻回方向について説明するための図である。
【００４８】
図６の（ａ）に示すように、電極体１４０は、Ｘ軸方向プラス側からみた場合に、正極１４１、負極１４２、及びセパレータ１４３、１４４が左回りに巻回されることにより、形成されている。また、図６の（ｂ）に示すように、絶縁テープ１５０は、Ｘ軸方向プラス側からみた場合に、電極体１４０に対して左回りに巻回されることにより、形成されている。つまり、図６の（ａ）及び（ｂ）で示すように、電極体１４０が形成される巻回方向と、絶縁テープ１５０の巻回方向とは同じ方向である。
【００４９】
なお、巻回方向については、以下のように定義してもよい。
【００５０】
巻回された巻回物の内側の位置から外側の位置に当該巻回物を辿った時に、左回りに向かうように巻回されている巻回方向を左方向とし、右回りに向かうように巻回されている巻回方向を右方向としてもよい。
【００５１】
また、巻回された巻回物の最外周の端縁（端面）が向いている周方向の向きで巻回方向を定義してもよい。つまり、電極体１４０では、巻回された巻回物の最外周の第二セパレータ１４４の端縁は、周方向の左方向を向いているため左方向となる。また、絶縁テープ１５０では、巻回された巻回物の最外周の絶縁テープ１５０の端縁は、周方向の左方向を向いているため左方向となる。
【００５２】
以上、本実施の形態によれば、絶縁テープ１５０は、電極体１４０の最外周面上に沿って電極体１４０を１周以上巻回された状態で、その一部である絶縁テープ１５０の外側の端部１５２が、接着されやすい絶縁テープ１５０自身の他の部分である内側の端部１５１上に接着されている。このため、絶縁テープ１５０は、電極体１４０の最外周の部分を固定することができるため、電極体１４０が巻回された状態を維持することができる。これにより、巻回型の電極体１４０が緩むことを抑制することができ、耐熱層である粒子含有層１４３ｂ、１４４ｂが設けられたセパレータ１４３、１４４を採用した蓄電素子１０において、その性能低下を抑制できる。また、蓄電素子１０では、耐熱層である粒子含有層１４３ｂ、１４４ｂが設けられたセパレータ１４３、１４４を採用しても当該蓄電素子１０の性能低下を抑制できるため、異常時に熱が発生したときであっても安全性を確保できる。
【００５３】
また、本実施の形態によれば、絶縁テープ１５０は、電極体１４０が巻回されている方向と同じ方向に巻回されている。このため、絶縁テープ１５０を、電極体１４０に巻回するときに、電極体１４０の最外周に引張力をかけながら、電極体１４０に１周以上巻回することができる。つまり、絶縁テープ１５０を電極体１４０に巻回するときに巻回型の電極体１４０が緩むことを抑制しながら絶縁テープ１５０を電極体１４０に巻回することができ、電極体１４０が巻回された状態を維持することができる。
【００５４】
また、本実施の形態によれば、絶縁テープ１５０の内側の端部１５１は、巻回方向における第二セパレータ１４４の最外周側の端部１４４ｃ上に配置されている。このため、絶縁テープ１５０を電極体１４０に巻回するときに、第二セパレータ１４４の最外周の端部１４４ｃ（つまり電極体１４０の最外周の端部）を押さえながら、絶縁テープ１５０を電極体１４０に１周以上巻回することができる。このように、電極体１４０が緩まないように最外周の端部を押さえた上で、絶縁テープ１５０を巻回することができるため、電極体１４０が緩まないように電極体１４０が巻回された状態を維持することができる。
【００５５】
また、本実施の形態によれば、絶縁テープ１５０は、巻回軸方向における電極体１４０の両側に配置されている。このように、絶縁テープ１５０は、電極体１４０の最外周面の全面を覆わないため、電極体１４０に対する電解液の浸透性を向上させることができる。
【００５６】
また、本実施の形態によれば、絶縁テープ１５０は、電極体１４０の巻回軸方向（Ｘ軸方向）における第二セパレータ１４４の端縁からの距離Ｌ１が、絶縁テープ１５０の幅Ｗ１よりも小さくなる位置に配置されている。このため、電極体１４０の最外周の端部１４４ｃがめくれることを抑制できる。これにより、より強固に電極体１４０が巻回された状態を維持することができる。
【００５７】
（変形例１）
上記実施の形態における蓄電素子１０では、絶縁テープ１５０の内側の端部１５１が巻回方向における第二セパレータ１４４の最外周側の端部１４４ｃ上に配置されているが、これに限らない。
【００５８】
図７は、変形例１に係る電極体１４０及び絶縁テープ２５０の外観を示す斜視図である。図８は、変形例１に係る電極体１４０及び絶縁テープ２５０の断面図である。具体的には、図８の（ａ）は、図７の電極体１４０及び絶縁テープ２５０のＢ−Ｂ断面を示す図であり、図８の（ｂ）は、図８の（ａ）の領域Ａ２を拡大した拡大図である。
【００５９】
図７及び図８に示すように、変形例１に係る電極体１４０及び絶縁テープ２５０では、絶縁テープ２５０は、内側の端部２５１が電極体１４０の最外周面のうち、最外周側の端部１４４ｃよりも巻回方向側の領域１４４ｄ上に配置されている。
【００６０】
ここで、領域１４４ｄは、電極体１４０の最外周面のうちの巻始めの領域である。より具体的には、領域１４４ｄは、第二セパレータ１４４の最外周の端縁Ｅ１と巻回方向側に隣接している領域であって、端縁Ｅ１から所定の範囲Ｒ２の領域である。また、所定の範囲Ｒ２は、例えば、絶縁テープ２５０の幅Ｗ１の１〜２倍の長さの範囲である。なお、電極体１４０の構成は、実施の形態の電極体１４０の構成と同様であるため、説明を省略する。
【００６１】
変形例１に係る電極体１４０及び絶縁テープ２５０によれば、絶縁テープ２５０が電極体１４０を１周以上巻回されて、絶縁テープ２５０自身に重なっている部分を、電極体１４０の最外周側の端部１４４ｃよりも巻回方向側の領域１４４ｄに配置することができる。つまり、絶縁テープ２５０の内側の端部２５１及び外側の端部２５２が重なることで他の部分よりも厚くなっている部分を、電極体１４０の最外周が重なることで生じている段差のうちの高さが低い部位に配置することができる。このため、電極体１４０及び絶縁テープ２５０の組立体の構成をコンパクトにすることができる。
【００６２】
また、変形例１に係る電極体１４０及び絶縁テープ２５０によれば、絶縁テープ２５０の内側の端部２５１を、電極体１４０の最外周の端部１４４ｃが配置される面上と同一の面上において隣接して配置できる。このため、絶縁テープ２５０に段差が生じないように、電極体１４０に対して絶縁テープ２５０を巻回することができる。これにより、少なくとも絶縁テープ２５０が絶縁テープ２５０自身に接着している部分を略平面の状態とすることができ、より強固に電極体１４０が巻回された状態を維持することができる。
【００６３】
（変形例２）
上記実施の形態及びその変形例では、絶縁テープ１５０、２５０は、電極体１４０に２本設けられているが、２本設けられることに限らずに、１本設けられる構成であってもよいし、３本以上設けられる構成であってもよい。また、絶縁テープ１５０、２５０は、電極体１４０の巻回軸方向（Ｘ軸方向）における第二セパレータ１４４の端縁からの距離Ｌ１が、絶縁テープ１５０、２５０の幅Ｗ１よりも小さくなる位置に配置されていなくてもよい。また、絶縁テープ１５０、２５０は、例えば、第二セパレータ１４４の幅の半分より大きい幅のような幅が広い絶縁テープであってもよい。
【００６４】
（変形例３）
上記実施の形態及びその変形例では、絶縁テープ１５０、２５０は、片面が接着性（粘着性）を有するテープであるが、片面全面が接着性を有していなくてもよく、例えば、電極体１４０に対して１周以上巻回された絶縁テープの外側の端部のみが接着性を有していればよい。また、例えば、絶縁テープの内側の端部の外周面のみが接着性を有していてもよい。また、両面が接着性を有する絶縁テープが採用されてもよい。
【００６５】
（変形例４）
上記実施の形態及びその変形例では、第一セパレータ１４３及び第二セパレータ１４４は、それぞれが基材層１４３ａ、１４４ａと粒子含有層１４３ｂ、１４４ｂとを備えた耐熱塗工セパレータであるが、粒子含有層１４３ｂ、１４４ｂを備えていないセパレータであってもよい。また、第一セパレータ及び第二セパレータの一方のみが粒子含有層を備えた構成であってもよい。
【００６６】
（変形例５）
上記実施の形態及びその変形例では、絶縁テープ１５０は、その一部が他の部分に重なって接着されることにより、接合されているが、例えば、溶着など別の接合方法で接合されてもよい。
【００６７】
（変形例６）
上記実施の形態及びその変形例では、絶縁テープ１５０、２５０は、電極体１４０に対して１周巻回される構成であるが、電極体１４０に対して１周以上巻回される構成であってもよい。
【００６８】
（変形例７）
上記実施の形態及びその変形例では、絶縁テープ絶縁テープ１５０、２５０は、その内側の端部１５１、２５１上の面にその外側の端部１５２、２５２が接着される構成であるが、端部同士で接着される構成に限らずに、電極体１４０に対して１周以上巻回された状態で巻回されていれば、絶縁テープの端部で接着されなくてもよい。
【００６９】
（変形例８）
上記実施の形態及びその変形例では、絶縁テープ１５０、２５０は、周方向の異なる位置においても、Ｘ軸方向の位置が一定の渦巻き状に巻回される構成であるが、渦巻き状に限らずに、周方向の位置に応じてＸ軸方向の位置が異なるようならせん状に巻回される構成であってもよい。
【００７０】
以上、本発明の実施の形態及びその変形例に係る蓄電素子について説明したが、本発明は、上記実施の形態及びその変形例に限定されるものではない。つまり、今回開示された実施の形態及びその変形例は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【００７１】
また、上記実施の形態及び上記変形例を任意に組み合わせて構築される形態も、本発明の範囲内に含まれる。
【産業上の利用可能性】
【００７２】
本発明の一態様に係る蓄電素子は、粒子を含む層が設けられたセパレータを有する電極体を備えた構成において、性能が低下することを抑制できる蓄電素子などとして有用である。
【符号の説明】
【００７３】
１０  蓄電素子
１００  容器
１１０  蓋体
１１１  容器本体
１２０  正極集電体
１３０  負極集電体
１４０  電極体
１４１  正極
１４２  負極
１４３  第一セパレータ
１４３ａ  基材層
１４３ｂ  粒子含有層
１４４  第二セパレータ
１４４ａ  基材層
１４４ｂ  粒子含有層
１４４ｃ  端部
１４４ｄ  領域
１５０、２５０  絶縁テープ
１５１、２５１  内側の端部
１５２、２５２  外側の端部
２００  正極端子
３００  負極端子
Ｅ１  端縁
Ｒ１、Ｒ２  所定の範囲
Ｗ１  幅
【図１】
0006682758.tif 000002
【図２】
0006682758.tif 000003
【図３】
0006682758.tif 000004
【図４】
0006682758.tif 000005
【図５】
0006682758.tif 000006
【図６】
0006682758.tif 000007
【図７】
0006682758.tif 000008
【図８】
0006682758.tif 000009